(57)【特許請求の範囲】
【請求項１】
容器部内の洗浄液を移送部によって洗浄皿へ移送し前記洗浄皿で洗浄液を用いて除毛器具の体毛処理部を洗浄し、使用後の洗浄液を前記移送部によって前記容器部に返送する除毛器具用の洗浄装置において、
前記洗浄皿は、当該装置の電気系を有する装置本体に対して着脱自在に設けられていることを特徴とする除毛器具用の洗浄装置。
【請求項２】
前記容器部は、前記洗浄皿と一体となって前記装置本体に対して着脱自在であり、
前記容器部が前記装置本体から取り外されたときに前記容器部内の洗浄液の交換を可能とする液交換構造を備えることを特徴とする請求項１に記載の除毛器具用の洗浄装置。
【請求項３】
前記洗浄皿に設けられ洗浄皿内の洗浄液を排出する排出口と、
この排出口に接続された状態で前記洗浄皿と一体となって前記装置本体に対して着脱自在であり、洗浄に供された後の洗浄液を濾過するフィルタ部と、
を備えることを特徴とする請求項１又は２に記載の除毛器具用の洗浄装置。
【請求項４】
前記移送部は、洗浄液を移送するポンプを有し、このポンプは、該装置の他の部材に対して単独で着脱自在であることを特徴とする請求項１ないし３のいずれか一項に記載の除毛器具用の洗浄装置。
【発明の詳細な説明】
【技術分野】
【０００１】
本発明は、電気かみそりや脱毛器等の除毛器具の体毛処理部を洗浄する除毛器具用の洗浄装置に関する。
【背景技術】
【０００２】
従来、除毛器具用の洗浄装置として、ポンプによって容器部の洗浄液を洗浄皿へ移送し洗浄皿に洗浄液を貯留し、この洗浄皿の洗浄液に浸された除毛器具の体毛処理部を洗浄液によって洗浄し、洗浄に供された後の洗浄液をフィルタ部を経由して容器部へ返送するものが知られている（例えば、特許文献１参照）
【特許文献１】特開２００４−２４３１１３号公報
【発明の開示】
【発明が解決しようとする課題】
【０００３】
このような除毛器具用の洗浄装置では、洗浄により体毛処理部から除去された体毛や皮脂などの除去物が洗浄皿に残留することがあり、洗浄の繰り返しと共に除去物が洗浄皿に堆積し洗浄皿が汚れてしまい、その汚れを見たユーザに不快感を与えてしまうおそれがある。また、その汚れが長期放置された場合には、洗浄皿に雑菌が繁殖し異臭を放つおそれがある。
【０００４】
しかしながら、従来の除毛器具用の洗浄装置では、洗浄皿が装置本体に固定されているのため、洗浄皿を洗う際には、装置本体の電気系に水が掛からないように注意して行なう必要があり、手間が掛かるという問題がある。
【０００５】
そこで、本発明は、除毛器具用の洗浄装置において、洗浄皿を容易に洗うことができるようにすることを目的とする。
【課題を解決するための手段】
【０００６】
請求項１に記載の発明は、容器部内の洗浄液を移送部によって洗浄皿へ移送し前記洗浄皿で洗浄液を用いて除毛器具の体毛処理部を洗浄し、使用後の洗浄液を前記移送部によって前記容器部に返送する除毛器具用の洗浄装置において、前記洗浄皿は、当該装置の電気系を有する装置本体に対して着脱自在に設けられていることを特徴とする除毛器具用の洗浄装置。
【０００７】
請求項２に記載の発明は、請求項１に記載の除毛器具用の洗浄装置において、前記容器部は、前記洗浄皿と一体となって前記装置本体に対して着脱自在であり、前記容器部が前記装置本体から取り外されたのを条件に前記容器部内の洗浄液の交換を可能とする液交換構造を備えることを特徴とする。
【０００８】
請求項３に記載の発明は、請求項１又は２に記載の除毛器具用の洗浄装置において、前記洗浄皿に設けられ洗浄皿内の洗浄液を排出する排出口と、この排出口に接続された状態で前記洗浄皿と一体となって前記装置本体に対して着脱自在であり、洗浄に供された後の洗浄液を濾過するフィルタ部と、を備えることを特徴とする。
【０００９】
請求項４に記載の発明は、請求項１ないし３のいずれか一項に記載の除毛器具用の洗浄装置において、前記移送部は、洗浄液を移送するポンプを有し、このポンプは、該装置の他の部材に対して単独で着脱自在であることを特徴とする。
【発明の効果】
【００１０】
請求項１に記載の発明によれば、洗浄皿が当該装置の電気系を有する装置本体に対して着脱自在に設けられていることにより、装置本体から洗浄皿を取り外して洗うことができるので、装置本体の電気系に水をかけることなく洗浄皿を容易に洗うことができる。
【００１１】
請求項２に記載の発明によれば、容器部が洗浄皿と一体となって装置本体に対して着脱自在であると共に、容器部は、装置本体から取り外されたときに液交換構造によって洗浄液の交換が可能であることにより、ユーザは、容器部の洗浄液交換のために必ず装置本体から容器部を取り外すこととなり、このとき、同時に洗浄皿が装置本体から取り外されるので、洗浄皿の汚れをユーザに気付かせることができ、これにより、ユーザに洗浄皿に対する洗浄を促すことができる。
【００１２】
請求項３に記載の発明によれば、フィルタ部が洗浄皿の排出口に接続された状態で洗浄皿と一体となって装置本体に対して着脱自在であることにより、例えばフィルタ部のメンテナンスのためにフィルタ部が装置本体から取り外された場合には、排出口がフィルタ部に接続された状態の洗浄皿がフィルタ部と一体となって装置本体から取り外されるので、このとき、洗浄皿や、洗浄皿とフィルタ部との間に付着しているヘッド部からの除去物が剥がれ落ちても、その除去物はフィルタ部で捕獲されるので、装置本体や除毛器具用の洗浄装置の設置場所が汚れることを防止することができる。
【００１３】
請求項４に記載の発明によれば、ポンプが除毛器具用の洗浄装置の他の部材に対して単独で着脱自在であることにより、ポンプを除毛器具用の洗浄装置の他の部材から取り外すことで、ポンプ単体を容易に洗うことができる。
【発明を実施するための最良の形態】
【００１４】
本発明の第１の実施形態を図１ないし図１１に基づいて説明する。図１は、本実施形態にかかる除毛器具用の洗浄装置を示す側面図、図２は、除毛器具用の洗浄装置を示す背面図、図３は、除毛器具用の洗浄装置を示す正面図、図４は、除毛器具用の洗浄装置を示す縦断側面図、図５は、除毛器具用の洗浄装置を示す分解側面図、図６は、除毛器具用の洗浄装置の着脱ユニットを示し、（ａ）は、側面図、（ｂ）は、正面図、図７は、除毛器具用の洗浄装置の装置本体を示す背面図、図８は、除毛器具用の洗浄装置のフィルタカセットを示し、（ａ）は、平面図、（ｂ）は、側面図、（ｃ）は、正面図、図９は、除毛器具用の洗浄装置のポンプユニットを示し、（ａ）は、背面図、（ｂ）は、平面図、（ｃ）は、側面図、図１０は、除毛器具用の洗浄装置の電気系を説明するための縦断側面図、図１１は、除毛器具用の洗浄装置の各部の接続を説明するための説明図である。なお、図１１では、説明の便宜上、各部の位置関係を一部ずらして示している。
【００１５】
図１ないし図４に示すように、除毛器具用の洗浄装置１は、概略的には、支持した除毛器具２の体毛処理部２ａの洗浄を洗浄液を用いて行なうものである。
【００１６】
図４及び図５に示すように、除毛器具用の洗浄装置１は、除毛器具２を支持する器具支持部３、洗浄液を貯留する容器部６と、容器部６から移送された洗浄液を用いて体毛処理部２ａの洗浄を行なう洗浄皿７と、洗浄に供された後の洗浄液を濾過するフィルタ部であるフィルタカセット８と、洗浄液を移送する移送部９と、洗浄後の体毛処理部２ａを乾燥させる乾燥部１０と、各部を駆動制御する制御部１１（図１１参照）と、を備えている。そして、除毛器具用の洗浄装置１には、容器部６を始点とし、洗浄皿７、フィルタカセット８、移送部９の後述するポンプ４２を経由して容器部６に戻る循環流路１２が設けられており、この循環流路１２に沿って移送部９が洗浄液を循環させる。洗浄皿７、容器部６、フィルタカセット８、移送部９、乾燥部１０及び循環流路１２は、筐体１３の内方に配置されている。また、詳しくは後述するが、これらの各部のうち容器部６、洗浄皿７及びフィルタカセット８は、着脱ユニット１４を構成しており、乾燥部１０、制御部１１などから構成される電気系１５を有する装置本体１６に対して着脱自在に設けられている。
【００１７】
除毛器具用の洗浄装置１の洗浄対象である除毛器具２を簡単に説明する。図４に示すように、除毛器具２は、グリップ部２ｂと、このグリップ部２ｂの一端部に設けられた体毛処理部２ａとから構成される電気かみそりである。除毛器具２は、体毛処理部２ａが有する刃によって体毛の切断を行なう。なお、除毛器具２としては、電気かみそり以外に、例えば、脱毛器などを例示することができる。
【００１８】
次に、除毛器具用の洗浄装置１について詳しく説明する。
【００１９】
図４に示すように、器具支持部３は、グリップ部２ｂを上、体毛処理部２ａを下にした状態の除毛器具２を支持するものであり、筐体１３の上壁に設けられた器具挿入口２１と洗浄皿７とから構成されている。器具挿入口２１は、挿入された除毛器具２のグリップ部２ｂを支持する一方、洗浄皿７は、器具挿入口２１の下方に配置されており、挿入された除毛器具２の体毛処理部２ａを支持する。
【００２０】
容器部６は、洗浄液を貯留するものであり、洗浄皿７及び器具支持部３の後方に配置されている。この容器部６には、供給パイプ２２が設けられている。
【００２１】
供給パイプ２２は、略逆Ｕ字状の流路を形成している。即ち、供給パイプ２２は、容器部６の底面に近接配置された流入口２２ａから上方へ延在して容器部６の上部に至る内パイプ部２２ｂと、この内パイプ部２２ｂの上部から水平に延在して容器部６の外部へ至る水平部２２ｃと、この水平部２２ｃから洗浄皿７へ向って下方に延在する外パイプ部２２ｄとを有している。外パイプ部２２ｄの下端に形成された流出口２２ｅは洗浄皿７の内部に位置している。また、外パイプ部２２ｄの上部は、水平部２２ｃよりも上方へ延在して、外パイプ部２２ｄの上部には、開口２２ｆが形成されており、この開口２２ｆによって供給パイプ２２にサイフォンの原理が働かないようにされている。
【００２２】
また、容器部６の上部には、循環流路１２に沿って返送される洗浄液が流入する返送口（図示せず）が設けられている一方、容器部６の前壁には、圧力調整口６ａが設けられており、この圧力調整口６ａには、電磁弁２３が接続される。
【００２３】
電磁弁２３は、器具挿入口２１の後方に配置されている。この電磁弁２３は、水平方向に延在する接続口２３ａを有しており、この接続口２３ａに圧力調整口６ａが接続される。
【００２４】
洗浄皿７は、上面開口であって底部へ向かうに従い断面が小さくなるように形成されており、洗浄皿７には、体毛処理部２ａを支持する支持壁７ａが形成されている。洗浄皿７の内部には、供給パイプ２２の流出口２２ｅが配置されている。また、洗浄皿７の底部には、洗浄皿７内の洗浄液を排出する排出口７ｂが設けられていおり、この排出口７ｂは、連通パイプ２４を介してフィルタカセット８に連通する。
【００２５】
フィルタカセット８は、図４及び図８に示すように、フィルタ３１とこのフィルタ３１を収納保持するフィルタケース３２とから構成されている。フィルタケース３２は、その上壁に流入口３２ａが設けられていると共に、その前壁に前方に水平に延出した流出口３２ｂが設けられている。流入口３２ａは、洗浄皿７の排出口７ｂに連通パイプ２４を介して連通される一方、流出口３２ｂは、移送部９のポンプ４２に連通する。このフィルタカセット８では、流入口３２ａから流入した洗浄液をフィルタ３１によって濾過し、濾過後の洗浄液を流出口３２ｂから排出する。
【００２６】
移送部９は、図４及び図９に示すように、ポンプユニット４１と、上述した電磁弁２３とを備えている。ポンプユニット４１は、ポンプ４２と、このポンプ４２を駆動する駆動源である電動モータ４３とが一体化されて構成されている。ポンプ４２は、洗浄液を吸入する流入口４２ａと吸入した洗浄液を吐出する流出口４２ｂと有しており、これらの流入口４２ａと流出口４２ｂとは、ポンプユニット４１の後方へ向けて延在している。そして、ポンプ４２の流入口４２ａは、フィルタカセット８の流出口３２ｂに連通される一方、ポンプ４２の流出口４２ｂは、返送パイプ４５（図６,図１１）を介して容器部６の返送口へ連通する。
【００２７】
図６に示す返送パイプ４５は、着脱ユニット１４のユニット筐体４６内に設けられており、フィルタカセット８及び容器部６に沿って配置されている。なお、図１１では、説明の便宜上、返送パイプ４５の形状は、フィルタカセット８及び容器部６に沿わせていない。返送パイプ４５の流入口４５ａはユニット筐体４６の前壁から前方へ突出している。また、返送パイプ４５の流出口（図示せず）は、容器部６の上部で容器部６内部に連通している。この流出口は、洗浄皿７よりも上方に位置している。
【００２８】
乾燥部１０は、図４及び図７に示すように、ヒータ５１とファン５２とを有している。ヒータ５１は、洗浄皿７の支持壁７ａの外面に当接して設けられており、支持壁７ａお内面に当接した除毛器具２の体毛処理部２ａを暖めて乾燥させる。ファン５２は、筐体１３の前壁を貫通して設けられた通気孔５３の内部に配置されており、器具支持部３に支持された除毛器具２に対向する。通気孔５３における筐体１３の外面側の開口は、スリット状開口となっており、内部のファン５２に人が触れることができないようになっている。このファン５２は、筐体１３の外部から導入した空気を洗浄皿７内部へ向けて送風する。これにより、除毛器具２の体毛処理部２ａ周辺の空気が入れ替えられて雰囲気の飽和蒸気圧が下がり、ヒータ５１による体毛処理部２ａの乾燥が促進される。
【００２９】
制御部１１は、図１０に示すように、筐体１３の前壁の内部に設けられている。この制御部１１には、図１０及び図１１に示すように、配線６１を介して電動モータ４３、電磁弁２３、ヒータ５１及びファン５２が接続されており、これにより、制御部１１による各部の駆動制御が可能となっている。また、制御部１１には、外部電源６２が接続される供給端子部６３と、除毛器具２の接続端子に接続される器具用端子部６４とが接続されている。器具用端子部６４は、器具支持部３に支持された除毛器具２の接続端子に接続されて除毛器具２に駆動信号や電力を供給する。また、制御部１１には、電源スイッチやスタートスイッチ、動作状態を表示するＬＥＤなどから構成さる操作部（図示せず）も接続されている。この操作部は、筐体１３の表面に配置されて操作及び目視可能となっている。
【００３０】
この制御部１１は、制御部１１、電動モータ４３、電磁弁２３、ヒータ５１、ファン５２、供給端子部６３、器具用端子部６４、操作部と共に電気系１５を構成している。
【００３１】
次に、除毛器具用の洗浄装置１の着脱構造について説明する。図４及び図５に示すように、除毛器具用の洗浄装置１では、洗浄皿７と容器部６とフィルタカセット８とが一体化されて着脱ユニット１４を構成しており、この着脱ユニット１４は、筐体１３、電気系１５から構成される装置本体１６に対して着脱自在に設けられている。
【００３２】
具体的には、装置本体１６の筐体１３の内部には、着脱ユニット１４を着脱自在に支持するユニット支持部７１が形成されている。このユニット支持部７１は、筐体１３の左右の内面によって着脱ユニット１４の左右の側面を支持すると共に、筐体１３の上壁の内面によって着脱ユニット１４の上面を支持する。このユニット支持部７１に対して、筐体１３の後面開口から着脱ユニット１４が着脱されるようになっている。
【００３３】
そして、着脱ユニット１４における容器部６の圧力調整口６ａ、フィルタカセット８の流出口３２ｂ、返送パイプ４５の流入口４５ａは、それぞれ電磁弁２３の接続口２３ａ、ポンプ４２の流入口４２ａ、ポンプ４２の流出口４２ｂに着脱自在に嵌合するようになっている。
【００３４】
この構造では、着脱ユニット１４が、装置本体１６から後方へ引き出されることにより、容器部６の圧力調整口６ａ、フィルタカセット８の流出口３２ｂ、返送パイプ４５の流入口４５ａが、電磁弁２３の接続口２３ａ、ポンプ４２の流入口４２ａ、ポンプ４２の流出口４２ｂから外れ、着脱ユニット１４が装置本体１６から外れる。一方、着脱ユニット１４が、装置本体１６のユニット支持部７１に後方から挿入されることにより、容器部６の圧力調整口６ａ、フィルタカセット８の流出口３２ｂ、返送パイプ４５の流入口４５ａが、電磁弁２３の接続口２３ａ、ポンプ４２の流入口、ポンプ４２の流出口に嵌合し、着脱ユニット１４が装置本体１６に結合する。
【００３５】
ここで、容器部６の上壁には、液交換用の開口６ｂが形成されていると共に、この開口６ｂは、取り外し可能なキャップ７２によって閉塞される。そして、着脱ユニット１４が装置本体１６に取り付けられた状態では、キャップ７２は筐体１３の上壁によって覆われており、キャップ７２を取り外すことができないようになっている。一方、着脱ユニット１４が装置本体１６から取り外された状態では、キャップ７２が露出し、キャップ７２を取り外すことが可能となる。この開口６ｂ、キャップ７２及び筐体の上壁は、容器部６が装置本体１６から取り外されたときに容器部６内の洗浄液の交換を可能とする液交換構造７３を構成している。
【００３６】
また、着脱ユニット１４は、ユニット筐体４６を有し、このユニット筐体４６に容器部６及び洗浄皿７が固定されている一方、フィルタカセット８は、ユニット筐体４６に設けられたカセット支持部７５に着脱自在に設けられている。
【００３７】
カセット支持部７５には、図６に示すように、前後方向に延在する溝状のレール部７６が設けられている一方、フィルタケース３２の左右の両側面には、図８に示すように、前後方向に延在してレール部７６にスライド自在に嵌合する突部３２ｃが設けられており、カセット支持部７５の後面開口からカセット支持部７５に対するフィルタカセット８の着脱が可能となっている。ここで、カセット支持部７５に対するフィルタカセット８のスライド移動のために、図４に示すように、連通パイプ２４とフィルタケース３２の流入口３２ａとは離間した配置となっている。この構造に伴って、カセット支持部７５の天井面には、リング状のパッキン７７が設けられており、フィルタカセット８がカセット支持部７５に取り付けられた状態では、パッキン７７がフィルタケース３２の流入口３２ａの縁部に密着し、連通パイプ２４と流入口３２ａとの間が液密にされる。これにより、連通パイプ２４から流出する洗浄液が外部に漏れることなくフィルタケース３２に流入する。
【００３８】
次に、制御部１１が行なう洗浄処理を図４及び図１１を参照して各部の動作と共に説明する。洗浄処理では、洗浄皿７が空の状態が初期状態である。器具支持部３に除毛器具２がセットされ、図示しないスタートスイッチがＯＮされると、電磁弁２３が閉弁されこれにより圧力調整口６ａが閉塞される。この状態で電動モータ４３が駆動されることによりポンプ４２が駆動される。このとき、洗浄皿７が空であるので、ポンプ４２は、洗浄皿７、フィルタカセット８を介して空気を吸入し、その空気を返送パイプ４５を介して容器部６へ送り込む。
【００３９】
空気が送り込まれた容器部６では、電磁弁２３によって圧力調整口６ａが閉じられているので、内圧が上昇する。内圧が、液面から供給パイプ２２の水平部２２ｃの内部までの水頭ｈ分の圧力に達すると、洗浄液が供給パイプ２２から洗浄皿７へ押し出される。そして、この状態でポンプ４２が停止される。ポンプ４２が停止されても、容器部６からの洗浄液の押し出しは、容器部６の内圧が水頭ｈ分よりも高い間は続き、流出した洗浄液は洗浄皿７に貯留される。このとき、ポンプ４２が停止されていることにより、洗浄皿７の排出口７ｂから洗浄液は流出しない。
【００４０】
次に、ポンプ４２の停止から規定時間後に、電磁弁２３が開弁されてこれにより圧力調整口６ａが開放される。これにより圧力調整口６ａを介して容器部６の内部が大気に連通し、容器部６の内圧が大気圧に下がり容器部６から洗浄液の流出が停止する。これにより、容器部６から洗浄皿７への洗浄液の移送が終了する。このときの洗浄皿７における洗浄液の貯留量は、除毛器具２の体毛処理部２ａが洗浄皿７の洗浄液に浸された状態で洗浄皿７から洗浄液が漏れない量になっている。
【００４１】
このとき、器具支持部３に支持された除毛器具２の体毛処理部２ａは、洗浄皿７の洗浄液に浸された状態となる。そして、体毛処理部２ａが洗浄皿７の洗浄液に浸った状態が規定時間維持され、体毛処理部２ａの毛屑や皮脂などが洗浄液によって取り除かれ、体毛処理部２ａが洗浄される。このとき、体毛処理部２ａを駆動して、体毛処理部２ａを振動させることにより、体毛処理部２ａに対しする洗浄効果を向上させることができる。
【００４２】
この洗浄動作後、電磁弁２３の開弁状態を維持したままポンプ４２が駆動され、洗浄皿７内の使用後の洗浄液が洗浄皿７からフィルタカセット８、ポンプ４２、返送パイプ４５を経由して、容器部６へ返送される。このとき、電磁弁２３が開弁状態であるので容器部６の内圧は上昇することが無く、よって、容器部６内の洗浄液が返送パイプ４５から押し出されることは無い。また、このとき、フィルタカセット８によって洗浄液が濾過され、洗浄液から毛屑や皮脂などが除去されるので、次回の洗浄動作用に、清浄化された洗浄液が容器部６に貯留された状態となる。そして、乾燥部１０が駆動されて体毛処理部２ａの乾燥がなされる。
【００４３】
以上説明した本実施形態の除毛器具用の洗浄装置１によれば、洗浄皿７が、当該除毛器具用の洗浄装置１の電気系１５を有する装置本体１６に対して着脱自在に設けられていることにより、装置本体１６から洗浄皿７を取り外して洗うことができるので、装置本体１６の電気系１５に水をかけることなく洗浄皿７を容易に洗うことができる。
【００４４】
また、本実施形態の除毛器具用の洗浄装置１によれば、容器部６が洗浄皿７と一体となって装置本体１６に対して着脱自在であると共に、容器部６は、装置本体１６から取り外されたときに液交換構造７３によって洗浄液の交換が可能であることにより、ユーザは、容器部６の洗浄液交換のために必ず装置本体１６から容器部６を取り外すこととなり、このとき、同時に洗浄皿７が装置本体１６から取り外されるので、洗浄皿７の汚れをユーザに気付かせることができ、これにより、ユーザに洗浄皿７に対する洗浄を促すことができる。
【００４５】
また、本実施形態によれば、フィルタカセット８が洗浄皿７の排出口７ｂに接続された状態で洗浄皿７と一体となって装置本体１６に対して着脱自在であることにより、例えばフィルタカセット８のメンテナンスのためにフィルタカセット８が装置本体１６から取り外された場合には、洗浄皿７も排出口７ｂがフィルタカセット８に接続された状態でフィルタカセット８と一体となって装置本体１６から取り外されるので、このとき、洗浄皿７や洗浄皿７とフィルタカセット８との間に付着している除毛器具２からの除去物が剥がれ落ちても、その除去物はフィルタカセット８で捕獲されるので、その除去物によって除毛器具用の洗浄装置１の装置本体１６や除毛器具用の洗浄装置１の設置場所が汚れることを防止することができる。
【００４６】
次に、本発明の第２の実施形態を図１２及び図１３に基づいて説明する。前述した実施形態と同じ部分は、同一符号で示し説明も省略する（以降の実施形態でも同様）。図１２は、本実施形態にかかる除毛器具用の洗浄装置の着脱ユニットを示す平面図、図１３は、本実施形態にかかる除毛器具用の洗浄装置の着脱ユニットを示す側面図である。
【００４７】
本実施形態では、洗浄皿７Ａが着脱ユニット１４のユニット筐体４６Ａに対して着脱自在に設けられている点が第１の実施形態に対して異なる。
【００４８】
具体的には、洗浄皿７Ａの下部には、張出脚部７Ａｃが設けられている一方、ユニット筐体４６Ａには、張出脚部７Ａｃを着脱自在に係止する樹脂製の爪部４６Ａａが設けられている。また、連通パイプ２４は、ユニット筐体４６Ａに一体化されており、この連通パイプ２４に洗浄皿７Ａの排出口が着脱自在に嵌合するようになっている。この構造では、洗浄皿７Ａを着脱ユニット１４に対して上下に移動させることで、張出脚部７Ａｃが爪部４６Ａａの弾性変形を伴って係脱すると共に、洗浄皿７Ａの排出口が連通パイプ２４に着脱し、洗浄皿７がユニット筐体４６に対して着脱されるようになっている。
【００４９】
また、連通パイプ２４にはＯリング８１が外嵌されており、Ｏリング８１によって、連通パイプ２４と洗浄皿７Ａの排出口７ｂとが液密に嵌合する。
【００５０】
また、供給パイプ２２の外パイプ部２２ｄは、例えばゴム製であり、柔軟性を有しており、洗浄皿７Ａの着脱に合わせて変形させることができるようになっている。
【００５１】
以上説明した本実施形態の除毛器具用の洗浄装置１によれば、洗浄皿７Ａがユニット筐体４６Ａに対して着脱自在に設けられていることにより、洗浄皿７Ａは除毛器具用の洗浄装置１の他の部品に対して単独で着脱自在となっているので、洗浄皿７単体を当該除毛器具用の洗浄装置１の他の部品から取り外して洗うことができるので、洗浄皿７をさらに容易に洗うことができる。
【００５２】
次に、本発明の第３の実施形態を図１４及び図１５に基づいて説明する。図１４は、本実施形態にかかる除毛器具用の洗浄装置のポンプ及び電動モータを示し、（ａ）は、平面図、（ｂ）は、正面図、（ｃ）は、側面図、図１５は、除毛器具用の洗浄装置のポンプ及び電動モータを示す分解平面図である。
【００５３】
本実施形態では、ポンプ４２Ａが、除毛器具用の洗浄装置１の他の部材に対して単独で着脱自在である点が第１の実施形態に対して異なる。
【００５４】
具体的には、ポンプ４２Ａの流入口４２ａ、流出口４２ｂがフィルタカセット８の流出口３２ｂ、返送パイプ４５の流入口４５ａに対して着脱自在であるのに加えて、ポンプ４２Ａが電動モータ４３Ａに対して着脱自在となっている。ここで、電動モータ４３Ａは、その出力軸４３Ａａにピニオン歯車４３Ａｂを有する一方、ポンプ４２Ａは、ピニオン歯車４３Ａｂに係合し電動モータ４３の動力を受け取る平歯車４２Ａｃを有している。
【００５５】
電動モータ４３Ａは、筐体１３に対して固定されていると共に、その上下面には凹部４３Ａｃが形成されている。一方、ポンプ４２Ａには、電動モータ４３Ａの凹部４３Ａｃに嵌合する樹脂製の爪部４２Ａｄを有して電動モータ４３に着脱自在に外嵌する嵌合部４２Ａｅが形成されている。
【００５６】
そして、電動モータ４３Ａに対してポンプ４２Ａを後方に引き出すことによりポンプ４２Ａの嵌合部４２Ａｅと電動モータ４３Ａとの嵌合が外れると共に、ピニオン歯車４３Ａｂから平歯車４２Ａｃが外れ、ポンプ４２Ａが電動モータ４３Ａから取り出される。一方、電動モータ４３Ａに対してポンプ４２Ａの嵌合部４２Ａｅを外嵌させることにより、電動モータ４３Ａのピニオン歯車４３Ａｂとポンプ４２の平歯車４２Ａｃとが係合し、ポンプ４２Ａと電動モータ４３Ａとが連結され、ポンプ４２Ａが電動モータ４３Ａを介して筐体１３に固定される。
【００５７】
以上説明した本実施形態の除毛器具用の洗浄装置１によれば、ポンプ４２Ａが除毛器具用の洗浄装置１の他の部材に対して単独で着脱自在であることにより、ポンプ４２を除毛器具用の洗浄装置１の他の部材から取り外すことで、ポンプ４２単体を容易に洗うことができる。
【００５８】
なお、本発明は、本実施形態に限ることなく本発明の要旨を逸脱しない範囲で他の実施形態を各種採用することができる。
【図面の簡単な説明】
【００５９】
【図１】本発明の第１の実施形態にかかる除毛器具用の洗浄装置を示す側面図である。
【図２】本発明の第１の実施形態にかかる除毛器具用の洗浄装置を示す背面図である。
【図３】本発明の第１の実施形態にかかる除毛器具用の洗浄装置を示す正面図である。
【図４】本発明の第１の実施形態にかかる除毛器具用の洗浄装置を示す縦断側面図である。
【図５】本発明の第１の実施形態にかかる除毛器具用の洗浄装置を示す分解側面図である。
【図６】本発明の第１の実施形態にかかる除毛器具用の洗浄装置の着脱ユニットを示し、（ａ）は、側面図、（ｂ）は、正面図である。
【図７】本発明の第１の実施形態にかかる除毛器具用の洗浄装置の装置本体を示す背面図である。
【図８】本発明の第１の実施形態にかかる除毛器具用の洗浄装置のフィルタカセットを示し、（ａ）は、平面図、（ｂ）は、側面図、（ｃ）は、正面図である。
【図９】本発明の第１の実施形態にかかる除毛器具用の洗浄装置のポンプユニットを示し、（ａ）は、背面図、（ｂ）は、平面図、（ｃ）は、側面図である。
【図１０】本発明の第１の実施形態にかかる除毛器具用の洗浄装置の電気系を説明するための縦断側面図である。
【図１１】本発明の第１の実施形態にかかる除毛器具用の洗浄装置の各部の接続を説明するための説明図である。
【図１２】本発明の第２の実施形態にかかる除毛器具用の洗浄装置の着脱ユニットを示す平面図である。
【図１３】本発明の第２の実施形態にかかる除毛器具用の洗浄装置の着脱ユニットを示す側面図である。
【図１４】本発明の第３の実施形態にかかる除毛器具用の洗浄装置のポンプ及び電動モータを示し、（ａ）は、平面図、（ｂ）は、正面図、（ｃ）は、側面図である。
【図１５】本発明の第３の実施形態にかかる除毛器具用の洗浄装置のポンプ及び電動モータを示す分解平面図である。
【符号の説明】
【００６０】
１      除毛器具用の洗浄装置
２      除毛器具
２ａ    体毛処理部
６      容器部
７      洗浄皿
７ｂ    排出口
７Ａ    洗浄皿
８      フィルタカセット（フィルタ部）
９      移送部
１５    電気系
１６    装置本体
４２Ａ  ポンプ
７３    液交換構造
【図１】
0004677894.tif 000002
【図２】
0004677894.tif 000003
【図３】
0004677894.tif 000004
【図４】
0004677894.tif 000005
【図５】
0004677894.tif 000006
【図６】
0004677894.tif 000007
【図７】
0004677894.tif 000008
【図８】
0004677894.tif 000009
【図９】
0004677894.tif 000010
【図１０】
0004677894.tif 000011
【図１１】
0004677894.tif 000012
【図１２】
0004677894.tif 000013
【図１３】
0004677894.tif 000014
【図１４】
0004677894.tif 000015
【図１５】
0004677894.tif 000016